(57)【要約】【課題】取出口から新聞が取り出されるまでは、つぎに販売する新聞を繰り出すことのない新聞自動販売機を提供すること。【解決手段】本体キャビネットに搭載され、新聞が収納されるラックと、本体キャビネットに搭載され、新聞の上に降ろされたハンドを待機位置から搬出位置に移動させることにより、ラックに収納された新聞を外扉に形成された取出口５１ｃに搬送する搬送装置とを備えた新聞自動販売機において、ラックから取出口５１ｃに搬送された新聞が取り出されたことを検出する新聞取出検出スイッチ６４を備え、搬送された新聞が取出口５１ｃから取り出された場合に、ハンドを搬出位置から待機位置に移動させるようにした。【選択図】        図６
2010067078.tif 000002
【特許請求の範囲】
【請求項１】
本体キャビネットに搭載され、新聞が収納されるラックと、本体キャビネットに搭載され、新聞の上に降ろされたハンドを待機位置から搬出位置に移動させることにより、ラックに収納された新聞を外扉に形成された取出口に搬送する搬送装置とを備えた新聞自動販売機において、
ラックから取出口に搬送された新聞が取り出されたことを検出する新聞取出検出手段を備え、
搬送された新聞が取出口から取り出された場合に、ハンドを搬出位置から待機位置に移動させることを特徴とする新聞自動販売機。
【請求項２】
前記新聞取出検出手段は、入力がオフ状態からオン状態に移行した後、さらにオフ状態に移行した場合に、新聞が取り出されたとすることを特徴とする請求項１に記載の新聞自動販売機。
【請求項３】
本体キャビネットに搭載され、新聞が収納されるラックと、本体キャビネットに搭載され、新聞の上に降ろされたハンドを待機位置から搬出位置に移動させることにより、ラックに収納された新聞を外扉に形成された取出口に搬送する搬送装置とを備えた新聞自動販売機において、
ハンドを昇降させる昇降手段を備え、
ラックからすべての新聞が搬出された場合にハンドを上昇させることを特徴とする新聞自動販売機。
【請求項４】
前記昇降手段は、さらに外扉を開放した場合にハンドを上昇させることを特徴とする請求項３に記載の新聞自動販売機。
【請求項５】
前記昇降手段は、さらに外扉を閉塞した場合にハンドを下降させることを特徴とする請求項３または４に記載の新聞自動販売機。
【請求項６】
本体キャビネットに搭載され、新聞が収納されるラックと、本体キャビネットに搭載され、ラックに収納された新聞を外扉に形成された取出口に搬送する搬送装置とを備えた新聞自動販売機において、
ラックから取出口に搬送された新聞が取り出されたことを検出する新聞取出検出手段を備え、
前記搬送装置は、搬送された新聞が取り出されるまで、新聞の搬送を中止することを特徴とする新聞自動販売機。
【請求項７】
複数のラックが搭載された本体キャビネットと、本体キャビネットの前面開口を閉塞するとともに、複数のラックに対応するように複数の取出口が形成された外扉とを備え、
選択されたラックから取出口に新聞を搬送する新聞自動販売機において、
一取引で複数の新聞を販売する場合において、一の新聞が収納されているラックが選択された後は、当該一の新聞が収納されているラックの選択を禁止する選択制限手段を備えことを特徴とする新聞自動販売機。
【請求項８】
前記選択制限手段は、一の新聞が収納されているラックから新聞が取り出された場合には、当該一の新聞が収納されているラックの選択を可能にすることを特徴とする新聞自動販売機。
【発明の詳細な説明】
【技術分野】
【０００１】
本発明は、新聞を販売する新聞自動販売機に関するものである。
【背景技術】
【０００２】
新聞を販売する新聞自動販売機は、前面が開口した箱状の本体キャビネットと、本体キャビネットの前面開口を閉塞する外扉とを備えている。本体キャビネットには、上下方向に複数段の棚が設けてあり、各棚には、新聞収納ラックが搭載してある。新聞収納ラックは、引き出し可能に構成された箱状のラック（ストック部）と、格納されたラックから新聞を繰り出す搬送装置とを備えている。ラックは、前面及び上面が開口してあり、販売する新聞を積層した状態で収納できるようになっている。搬送装置は、本体キャビネットの奥方から前方に移動する駆動ユニットと、駆動ユニットに回動可能に取り付けられ、奥方から前方に移動させられるアームと、アームに回動可能に取り付けられ、かつ、新聞を引っ掛ける針が装着されたハンドとを備えている。そして、ハンドを降ろした状態で自動販売機本体から販売指令を受信すると、駆動ユニットがアームを奥方（待機位置）から前方（搬出位置）に移動させることにより、針が新聞を引っ掛けてラックから新聞を一冊ずつ繰り出すようになっている。そして、繰り出された新聞は、外扉にラックに対応するように設けられた取出口から取り出されるようになっている（例えば、非特許文献１参照）。
【０００３】
【非特許文献１】近畿車輛株式会社  「近畿車輌-新聞自動販売機-KNC-10」［平成２０年６月１日検索］、インターネット＜URL：http://www.kinkisharyo.co.jp/ja/sanki/sa-seihin/sa-knc-10.htm＞
【発明の開示】
【発明が解決しようとする課題】
【０００４】
しかしながら、上述した新聞自動販売機では、取出口から新聞が取り出されないまま、つぎに販売する新聞が繰り出される事態が生じうる。このような場合には、取出口において新聞が詰まることになり、以後の新聞の販売が不能になる。
【０００５】
また、上記同様に同一ラックから新聞を連続販売する際、最初の新聞を取出口から取り出さないまま、同一ラックの新聞を選択すると、取出口で新聞が詰まることになり、以後の新聞の販売が不能になる。
【０００６】
本発明は、上記実情に鑑みて、取出口から新聞が取り出されるまでは、つぎに販売する新聞を繰り出すことのない新聞自動販売機を提供することを目的とする。
【課題を解決するための手段】
【０００７】
上記の目的を達成するために、本発明の請求項１に係る新聞自動販売機は、本体キャビネットに搭載され、新聞が収納されるラックと、本体キャビネットに搭載され、新聞の上に降ろされたハンドを待機位置から搬出位置に移動させることにより、ラックに収納された新聞を外扉に形成された取出口に搬送する搬送装置とを備えた新聞自動販売機において、ラックから取出口に搬送された新聞が取り出されたことを検出する新聞取出検出手段を備え、搬送された新聞が取出口から取り出された場合に、ハンドを搬出位置から待機位置に移動させることを特徴とする。
【０００８】
また、本発明の請求項２に係る新聞自動販売機は、上記請求項１において、前記新聞取出検出手段は、入力がオフ状態からオン状態に移行した後、さらにオフ状態に移行した場合に、新聞が取り出されたとすることを特徴とする。
【０００９】
また、本発明の請求項３に係る新聞自動販売機は、本体キャビネットに搭載され、新聞が収納されるラックと、本体キャビネットに搭載され、新聞の上に降ろされたハンドを待機位置から搬出位置に移動させることにより、ラックに収納された新聞を外扉に形成された取出口に搬送する搬送装置とを備えた新聞自動販売機において、ハンドを昇降させる昇降手段を備え、ラックからすべての新聞が搬出された場合にハンドを上昇させることを特徴とする。
【００１０】
また、本発明の請求項４に係る新聞自動販売機は、上記請求項３において、前記昇降手段は、さらに外扉を開放した場合にハンドを上昇させることを特徴とする。
【００１１】
また、本発明の請求項５に係る新聞自動販売機は、上記請求項３または４において、前記昇降手段は、さらに外扉を閉塞した場合にハンドを下降させることを特徴とする。
【００１２】
また、本発明の請求項６に係る新聞自動販売機は、本体キャビネットに搭載され、新聞が収納されるラックと、本体キャビネットに搭載され、ラックに収納された新聞を外扉に形成された取出口に搬送する搬送装置とを備えた新聞自動販売機において、ラックから取出口に搬送された新聞が取り出されたことを検出する新聞取出検出手段を備え、前記搬送装置は、搬送された新聞が取り出されるまで、新聞の搬送を中止することを特徴とする。
【００１３】
また、本発明の請求項７に係る新聞自動販売機は、複数のラックが搭載された本体キャビネットと、本体キャビネットの前面開口を閉塞するとともに、複数のラックに対応するように複数の取出口が形成された外扉とを備え、選択されたラックから取出口に新聞を搬送する新聞自動販売機において、一取引で複数の新聞を販売する場合において、一の新聞が収納されているラックが選択された後は、当該一の新聞が収納されているラックの選択を禁止する選択制限手段を備えことを特徴とする。
【００１４】
また、本発明の請求項８に係る新聞自動販売機は、上記請求項７において、前記選択制限手段は、一の新聞が収納されているラックから新聞が取り出された場合には、当該一の新聞が収納されているラックの選択を可能にすることを特徴とする。
【発明の効果】
【００１５】
本発明に係る新聞自動販売機は、搬送された新聞が取出口から取り出された場合に、ハンドを搬出位置から待機位置に移動させるので、販売する新聞が選択されてから取出口に新聞が搬送されるまでの時間を短縮できる。
【００１６】
また、本発明に係る新聞自動販売機は、ラックからすべての新聞が搬出させた場合にハンドを上昇させるので、新聞の補充作業や入替作業が容易にできる。
【００１７】
また、本発明に係る新聞自動販売機は、搬送された新聞が取り出されるまで、新聞の搬送を中止するので、新聞の重送を原因とする詰まりが生じない。
【発明を実施するための最良の形態】
【００１８】
以下に添付図面を参照して、本発明に係る新聞自動販売機の好適な実施の形態を詳細に説明する。なお、この実施の形態によりこの発明が限定されるものではない。
【００１９】
図１は、新聞自動販売機を示す正面図である。新聞自動販売機は、新聞を販売する自動販売機であって、一台で複数種類（図１に示した新聞自動販売機は最大７種類）の新聞を販売できるようになっている。
【００２０】
新聞自動販売機は、前面が開口した箱状の本体キャビネット１と、本体キャビネット１の前面開口を閉塞する外扉２とを備えている。
【００２１】
本体キャビネット１は、鋼板を適宜組み合わせたもので、上下方向に複数段の棚が設けてあり、図２に示すように、各棚には、新聞収納ラック３が引き出し可能に搭載してある（図１に示した新聞自動販売機は７つの新聞収納ラック３が搭載してある。）。
【００２２】
新聞収納ラック３は、販売する新聞を積層した状態で収納するとともに、新聞自動販売機本体（主制御部８）からの販売指令にしたがって新聞を一冊ずつ繰り出すものであって、図２及び図３に示すように、ラック３１と搬送装置３３とを有している。
【００２３】
ラック３１は、本体キャビネット１に引き出し可能に搭載してある。また、ラック３１は、新聞の長手方向がラック３１の幅方向となるようにして新聞を収納するもので、鋼板を折り曲げることにより構成してある。ラック３１は、前面と上面とが開口した箱状を呈しており、ラック３１に収納された新聞は前面開口から一冊ずつ繰り出されるようになっている。
【００２４】
また、図２及び図３に示すように、ラック３１の底面には、ラック３１の底部を構成する底上部材３２が取り付けてある。底上部材３２は、後述する針を保護するためのもので、板状体（例えば、鋼板）の両縁をそれぞれ階段状に折り曲げることにより、上面がラック３１の底面から僅かに浮くように構成してある。また、底上部材３２の上面には、切り抜き３２ａが設けてある。切り抜き３２ａは、針の移動域にわたり針が挿通するようにしたもので、矩形に形成してある。
【００２５】
搬送装置３３は、本体キャビネット１に搭載され、自動販売機本体（主制御部８）からの販売指令に従って、ラック３１から新聞を繰り出すためのもので、駆動ユニット３４、アーム３５、ハンド３６を備えている。
【００２６】
搬送装置３３は、駆動ユニット３４を本体キャビネット１の奥方（待機位置）から前方（搬出位置）に移動させるようになっている。
【００２７】
駆動ユニット３４には、アーム３５の一端が回動可能に取り付けてあり、アーム３５は、駆動ユニット３４の移動に伴い、ラック３１の奥方（待機位置）から前方（搬出位置）に移動するようになっている。
【００２８】
アーム３５は、細長の板状体（例えば、鋼板）の両縁を下方に折り曲げたものであって、軽量化等のため、複数の穴が切り抜いてある。アーム３５の他端には、ハンド３６が回動可能に取り付けてある。
【００２９】
ハンド３６は、板状体（例えば、鋼板）を略Ｌ字状に折り曲げたもので、軽量化等のため、複数の穴が切り抜いてある。ハンド３６の左側と右側には、それぞれ針ユニット３７が取り付けてあり、その中央がアーム３５に取り付けられている。このため、右側の針ユニット３７と左側の針ユニット３７とに均等に力が作用するようになっている。
【００３０】
図４に示すように、針ユニット３７は、針３７１をハンド３６に装着するためのものであり、針３７１が装着してあり、この針ユニット３７をハンド３６に取り付けることにより、ハンド３６に針３７１が装着されるようになっている。針３７１は、新聞を引っ掛けるためのもので、針３７１が新聞を引っ掛けた状態で駆動ユニット３４を駆動すると、アーム３５が奥方（待機位置）から前方（搬出位置）に移動し、ハンド３６が新聞を搬送するようになっている。
【００３１】
図４に示すように、ハンド３６は、カバー３８を備えている。カバー３８は、アーム３５を持ち上げることにより、針３７１が新聞の紙面から離反した場合に針３７１を覆い隠すものであり、ハンド３６を降ろした場合に針３７１が露出するようになっている。
【００３２】
図１に示すように、外扉２は、鋼板を適宜組み合わせたもので、本体キャビネット１の左側縁に支承してある。外扉２の右側中程には、ハンドルロック２１が配設してあり、外扉２を閉塞した状態で施錠可能となっている。また、本体キャビネット１には、ドアスイッチ１１（図７参照）が取り付けてあり、外扉２の開閉が検出できるようになっている。
【００３３】
また、外扉２の右側には、硬貨投入口２２、紙幣挿入口２３、電子マネー受付部２４、一体型表示器２５、返却レバー２６、返却口２７が配設してある。硬貨投入口２２は、硬貨を受け付けるための開口であって、硬貨投入口２２から投入された硬貨は、外扉２の背面内側に配設したコインメカニズム（硬貨処理装置）２２１（図７参照）に収容されるようになっている。紙幣挿入口２３は、紙幣を受け付けるための開口であって、紙幣挿入口２３から挿入された紙幣は、外扉２の背面内側に配設したビルバリデータ（紙幣処理装置）２３１（図７参照）に収容されるようになっている。電子マネー受付部２４は、電子マネーがチャージされたカード等の記録媒体を受け付ける部分であって、記録媒体がかざされると、記録媒体との間で電子マネーデータを送受信することにより、対価を収受するようになっている。一体型表示器２５は、販売中、釣り銭切れ、投入金額、お札禁止等の各種情報を表示するためのものである。返却レバー２６は、取引の中断を指示するためのものであって、返却レバー２６が操作されると、取引が中断され、釣り銭等を返却口２７に放出するようになっている。
【００３４】
また、外扉２には、表示選択装置４と新聞取出口装置５とが上下方向に複数設けてある（図１に示した新聞自動販売機は７つの表示選択装置４と７つの新聞取出口装置５とが設けてある）。表示選択装置４と新聞取出口装置５とは、１対１の関係を有しており、本体キャビネット１に搭載した新聞収納ラック３と対応するように設けてある。
【００３５】
表示選択装置４は、新聞の紙名（朝刊、夕刊の別を含む）が記載されたプレート４１と、プレート４１に記載された新聞を選択する選択ボタン４２とを有している。プレート４１は、外扉２の背面に装着してあり、外扉２を開放した状態で入れ替え可能となっている。選択ボタン４２は、例えば、点灯可能な押しボタンスイッチで構成してあり、選択可能な場合に点灯し、選択された場合には一定時間点滅するように制御される。なお、最上段の表示選択装置４には、上方に隣接する展示部４３が設けてある。展示部４３には、透明なパネル４３ａが嵌め込んであり、注目記事が掲載された新聞を展示できるようになっている。
【００３６】
新聞取出口装置５は、図２に示すように、新聞収納ラック３から搬送された新聞を取り出すためのものである。新聞取出口装置５は、図５に示すように、前面の一部が外扉２の前面に露出する化粧枠５１を備えている。図５に示すように、化粧枠５１は、新聞自動販売機の幅方向に幅広となる合成樹脂製の枠体であって、枠部５１ａと凸部５１ｂとを有している。枠部５１ａは、外扉２に取り付けられ、前面が外扉２の背面に密着するようになっており、外形が略矩形であって、奥行き方向に厚みを有している。凸部５１ｂは、外扉２の前面に露出する部分であって、外形が略矩形であって、奥行き方向に外扉２の厚みと同一の厚みを有している。したがって、化粧枠５１を外扉２に取り付けた場合に凸部５１ｂの前面と外扉２の前面とが面一になる。
【００３７】
図５及び図６に示すように、化粧枠５１には、取出口５１ｃが形成してある。取出口５１ｃは、新聞を取り出すための開口であって、化粧枠５１の枠部５１ａと凸部５１ｂ、すなわち、化粧枠５１を貫通するように形成してある。取出口５１ｃは、正面視矩形に形成してあり、その開口幅は、新聞が通るように、新聞の長手方向の長さと略同一となるように形成してある。
【００３８】
また、図６に示すように、取出口５１ｃの奥方上方部には、フラッパ５２が支承してある。フラッパ５２は、奥方から手前側に向けて漸次低くなるように傾斜した状態で取出口５１ｃを閉塞するもので、フラッパ５２が取出口５１ｃを閉塞した状態で、フラッパ５２の手前側端部が化粧枠５１の凸部５１ｂから突出するようになっている。
【００３９】
図５及び図６に示すように、複数の化粧枠５１に左右一対となるガイド側板６１が取り付けてある。ガイド側板６１は、化粧枠５１の側部を補強するとともに、新聞収納ラック３から繰り出された新聞の幅方向の移動を規制するもので、左側のガイド側板６１Ｌと右側のガイド側板６１Ｒとは左右対称に形成してある。
【００４０】
また、図５及び図６に示すように、一対のガイド側板６１の間には、取出口５１ｃ（化粧枠５１）ごとに、上ガイド板６２と下ガイド板６３とが配設してある。
【００４１】
上ガイド板６２は、新聞収納ラック３から最初のほうに繰り出された新聞を取出口５１ｃに搬送するためのものであって、一枚の鋼板を折り曲げることにより、形成してある。
【００４２】
下ガイド板６３は、新聞収納ラック３から最後のほうに繰り出された新聞を取出口５１ｃに搬送するためのもので、一枚の鋼板を折り曲げることにより、形成してある。
【００４３】
また、下ガイド板６３には、新聞取出検知スイッチ６４（新聞取出検出手段）が取り付けてある。新聞取出検出スイッチ６４は、新聞収納ラック３から取出口５１ｃに搬送された新聞が取り出されたことを検出するためのスイッチ（例えば、近接スイッチやリミットスイッチ）で、新聞取出検出スイッチ６４が新聞を検出するとオン状態になるようになっている。
【００４４】
図７に示すように、上述したドアスイッチ１１、コインメカニズム２２１、ビルバリデータ２３１、一体型表示器２５、表示選択装置４、新聞収納ラック３は、主制御部８（自動販売機本体）に接続されており、主制御部８において集中管理するようになっている。
【００４５】
上述した新聞自動販売機は、販売待機時に、図６に示すように、フラッパ５２が奥方から手前側に傾斜した状態で取出口５１ｃを閉塞している。このとき、新聞取出検出スイッチ６４の入力はオフ状態となっている。そして、硬貨投入口２２等から対価が収受され、新聞が選択されると、主制御部８は、選択された新聞が収納されている新聞収納ラック３に販売指令を出力し、新聞収納ラック３は、新聞を繰り出すことになる。
【００４６】
具体的には、針３７１に新聞を引っ掛けた状態で、アーム３５を奥方（待機位置）から前方（搬出位置）に移動させることにより、ラック３１から新聞を繰り出すことになる。
【００４７】
そして、繰り出された新聞は、上ガイド板６２、下ガイド板６３及びガイド側板６１にガイドされ、取出口５１ｃに搬送される。すると、新聞取出検出スイッチ６４の入力はオフ状態からオン状態に移行する。
【００４８】
そして、搬送された新聞は、自動販売機の新聞取出口装置５において、フラッパ５２を押し開け、取出口５１ｃから商品の一部が現れる。この状態になると、新聞は利用者によって取り出し可能である。ここで、利用者が新聞を取り出すと、フラッパ５２は自重によって取出口５１ｃを閉塞し、待機状態となり、新聞取出検出スイッチ６４の入力はオン状態からオフ状態に移行する。
【００４９】
そして、主制御部８は、新聞取出検出スイッチ６４の入力がオフ状態からオン状態に移行した後、さらにオフ状態に移行した場合に新聞が取り出されたと判断し、アーム３５を前方（搬出位置）から奥方（待機位置）に移動させ、つぎの新聞の販売に備えることになる。
【００５０】
上述した新聞自動販売機によれば、新聞が取り出されるまでは、ハンド３６が搬出位置に位置するので、新聞が取出口５１ｃから下ガイド板６３を滑り落ちて取り出せなくなることはない。一方、新聞が取り出されると、ハンド３６を搬出位置から待機位置に移動させるので、つぎの販売に備えることができ、待ち時間を短縮させることができる。
【００５１】
（実施の形態２）
実施の形態２である自動販売機は、上述した実施の形態１である自動販売機において、ハンド３６を昇降させる昇降機構（昇降手段）を備えたものであって、新聞収納ラック３からすべての新聞が搬出された場合にハンド３６を上昇させるようになっている。
【００５２】
昇降機構は、ハンド３６が取り付けられたアーム３５を上昇させことにより、ハンド３６を上昇させるものであって、例えば、モータ（図示せず）の動力を用いるようになっている。
【００５３】
また、昇降機構は、ドアスイッチ１１と連動しており、外扉２を開放すると昇降機構がアーム３５を上昇させることにより、ハンド３６を上昇させ、外扉２を閉塞すると昇降機構がアーム３５を下降させるようになっている。
【００５４】
このように、外扉２の開放により、ハンド３６が上昇すれば新聞の補充、入れ替えが容易になり、外扉２の閉塞により、ハンド３が下降すれば、ハンド３６を降ろし忘れることがない。
【００５５】
（実施の形態３）
実施の形態３である自動販売機は、上述した実施の形態１である自動販売機において、一取引で複数の新聞を販売できるようになっている（例えば、Ｘ円の投入により、Ａ紙、Ｂ紙、Ｃ紙の販売ができるようになっている）。すなわち、主制御部８は、釣り銭でさらに新聞を販売できる場合に釣り銭を直ちに返却口に２７返却するのではなく、一定時間、表示選択装置４から新聞が選択できるようになっている。なお、一定時間の経過を待つことなく、直ちに釣り銭の返却を希望する場合には、返却レバー２７を操作すれば良いようになっている。
【００５６】
実施の形態３である自動販売機において、主制御部８は、一の新聞（例えば、Ａ新聞）が収納されているラックが選択された後は、当該一の新聞（Ａ新聞）が収納されているラックの選択を禁止するようになっている（選択制限手段）。
【００５７】
このように、一の新聞が収納されているラックが選択された後、当該一の新聞が収納されているラックの選択を禁止すれば、新聞が取り出されたことを検出しなくても、一取引において同一のラックから連続して商品が搬送されることがなくなり、取出口において新聞が詰まる事態が回避される。
【００５８】
上述した自動販売機において、一の新聞が取り出されたことを検出した場合には、当該一の新聞（Ａ新聞）が収納されているラックの選択を可能にするようになっている。
【００５９】
このように、一の新聞（Ａ新聞）が取り出されたことを検出した場合に、一の新聞（Ａ新聞）が収納されているラックの選択を可能にすれば、一取引で同じ新聞を販売できるようになる。
【図面の簡単な説明】
【００６０】
【図１】本発明の実施の形態である新聞自動販売機を示す正面図である。
【図２】新聞取出口装置と新聞収納ラックとの関係を示す斜視図である。
【図３】新聞収納ラックを示す斜視図である。
【図４】新聞を搬送するハンドを示す斜視図である。
【図５】新聞取出口装置を示す斜視図である。
【図６】新聞取出口装置を示す側断面図である。
【図７】新聞自動販売機の構成を示すブロック図である。
【符号の説明】
【００６１】
１    本体キャビネット
１１    ドアスイッチ
２    外扉
２１    ハンドルロック
２２    硬貨投入口
２２１    コインメカニズム
２３    紙幣挿入口
２３１    ビルバリデータ
２４    電子マネー受付部
２５    一体型表示器
２６    返却レバー
２７    返却口
３    新聞収納ラック
３１    ラック
３２    底上部材
３３    搬送装置
３４    駆動ユニット
３５    アーム
３６    ハンド
３７    針ユニット
３７１    針
３８    カバー
４    表示選択装置
４１    プレート
４２    選択ボタン
４３    展示部
４３ａ    パネル
５    新聞取出口装置
５１    化粧枠
５１ａ    枠部
５１ｂ    凸部
５１ｃ    取出口
５２    フラッパ
６１    ガイド側板
６２    上ガイド板
６３    下ガイド板
６４    新聞取出検知スイッチ
８    主制御部
【図１】
2010067078.tif 000003
【図２】
2010067078.tif 000004
【図３】
2010067078.tif 000005
【図４】
2010067078.tif 000006
【図５】
2010067078.tif 000007
【図６】
2010067078.tif 000008
【図７】
2010067078.tif 000009